(57)【要約】      （修正有）【課題】母線充電中でのスイッチギア内での作業中において、充電部のシャッタを故意に開けることができないようにし、また、母線停電中において、シャッタを開いて作業を可能とする。【解決手段】シャッタ２３が断路部の前方を閉塞している状態においてシャッタ２３の開方向の動きを規制可能とする電気錠３５と、母線の充停電状態を判定する母線充停電判定回路５０と、スイッチギヤ本体の遮断器を収容する床下に配されたリミットスイッチ３８を設け、母線充停電判定回路５０により母線の充電状態が判定され、且つ、リミットスイッチ３８が閉成された場合に電気錠３５を施錠してシャッタ２３の開方向への動きを規制し、母線充停電判定回路５０により停電状態が判定され、又はリミットスイッチ３８が開成された場合に電気錠３５を開錠してシャッタ２３の開方向への動きを許容する。【選択図】図５
2011200076.tif 000002
【特許請求の範囲】
【請求項１】
スイッチギヤ本体と、前記スイッチギヤ本体に対して引出自在に設けられた引出型の遮断器と、スイッチギヤ本体内の断路部の前方を開閉するシャッタと、前記シャッタの開閉を行う開閉リンク機構とを備えたスイッチギヤに用いられ、前記シャッタの開閉動作を規制可能とするスイッチギヤのシャッタ開閉制御装置において、
前記シャッタが前記断路部の前方を閉塞している状態において前記シャッタの開方向の動きを規制可能とする電気錠と、母線の充停電状態を判定する母線充停電判定回路と、前記スイッチギヤ本体の前記遮断器を収容する床下に配されたリミットスイッチと、前記母線充停電判定回路により充電状態が判定され、且つ、前記リミットスイッチが閉成された場合に前記電気錠を施錠して前記シャッタの開方向への動きを規制し、
少なくとも前記母線充停電判定回路により停電状態が判定された場合、又は、前記リミットスイッチが開成された場合に前記電気錠を開錠して前記シャッタの開方向への動きを許容することを特徴とするスイッチギヤのシャッタ開閉制御装置。
【請求項２】
前記電気錠は、前記開閉リンク機構の動きを規制するものであることを特徴とする請求項１記載のスイッチギヤのシャッタ開閉制御装置。
【請求項３】
前記電気錠は、前記シャッタの移動軌跡上に配されてシャッタの動きを直接規制するものである請求項１記載のスイッチギヤのシャッタ開閉制御装置。
【請求項４】
前記床下に配されたリミットスイッチは、前記スイッチギヤ本体の前記遮断器を収容する床の中央部下に設けられていることを特徴とする請求項１記載のスイッチギヤのシャッタ開閉制御装置。
【請求項５】
前記スイッチギヤ本体の前記遮断器を収容する床は、四隅がスプリングにより保持され、床上からの荷重に対して前記スプリングに抗して前記床が下方へ変位することで前記リミットスイッチを閉成可能することを特徴とする請求項１記載のスイッチギヤのシャッタ開閉制御装置。
【請求項６】
前記開閉リンク機構は、前記遮断器の側部に設けられた押上部材によって押し上げられるアーム部材を有し、このアーム部材の押し上げに追従して前記シャッタが押し上げられて開位置へ移動することを特徴とする請求項１記載のスイッチギヤのシャッタ開閉制御装置。
【発明の詳細な説明】
【技術分野】
【０００１】
本発明は、変電所などの施設に設置される電路を開閉するためのスイッチギヤにおいて、断路部の前方に配置されたシャッタを開閉制御するシャッタ開閉制御装置に関する。
【背景技術】
【０００２】
引出型の遮断器が収容されるスイッチギヤ本体には、変電所から引き込まれた電力を供給する電力ケーブル、断路部、変圧器、断路器等が収容されており、内部が隔壁により、電力ケーブルを収容するケーブル室、変圧器を有する変圧器室、遮断器を収容する遮断器室、断路器を収容する断路器室等に区画されている。
スイッチギヤは、遮断器が引き出された状態において断路部の固定接触子が露出し、これに接触して感電することを防止するために、断路部の前方に絶縁部材からなるシャッタが開閉自在に設けられている（特許文献１、２参照）
【０００３】
このようなシャッタは、遮断器をスイッチギヤ本体から引き出すと、断路部の前方を閉塞するように移動し、遮断器をスイッチチヤ本体に押し込むとシャッタが上方または下方へ移動して断路器の前方を開放するようになっており、遮断器の外部接触子を断路部の固定接触子へ挿着できるようにしている。
【０００４】
しかしながら、このような構成にも拘わらず、遮断器が引き出されている状態においてシャッタを動かしてしまうと、誤って充電状態にある固定接触子に触れて感電してしまう虞がある。
このため、従来においては、特許文献３に示されるように、筐体の扉の裏側にバリヤを設け、このバリヤの開閉を管理する電気錠を設けると共に高圧部分の充電状態を検知する変成器を設け、充電中は、変成器を介して電気錠に電流を流して施錠状態とし、バリヤを開閉できないようにし、また、停電中は、電気錠を開錠させてバリヤを開閉できるようにすることで、高圧受電設備の保守、点検作業中の作業者の感電事故を防止する構成が考えられている。
【先行技術文献】
【特許文献】
【０００５】
【特許文献１】特開平０６−１６５３２３号公報
【特許文献２】特開２００６−４２５０３号公報
【特許文献３】特開平１０−１７４２１８号公報
【発明の概要】
【発明が解決しようとする課題】
【０００６】
しかしながら、スイッチギヤの扉の裏側にバリヤを設け、これを施錠管理している従来の構成においては、スイッチギヤが停電状態でないと内部に入れないので、内部に入ろうとすると、母線の停電が必要となり、配電線個別での点検ができなくなる不都合があり、実用的でない。
また、母線充電中にバリヤの開閉ができない従来技術においては、母線停電中での母線側作業は可能であるが、母線充電中において遮断器を押し込んで、遮断器の外部接触子をスイッチギヤ本体の断路部の固定接触子に接続する従来行われていた作業ができなくなる不都合もある。
【０００７】
本発明は係る事情に鑑みてなされたものであり、母線充電中におけるスイッチギヤ内での作業を可能にすると共にこのような作業中において充電部のシャッタを故意に開けることができないようにし、また、母線停電中においては、シャッタを開いて作業することを可能とし、さらには、母線充電中でも遮断器の押込みを可能としたスイッチギヤのシャッタ開閉制御装置を提供することを主たる課題としている。
【課題を解決するための手段】
【０００８】
上記課題を達成するために、本発明に係るスイッチギヤのシャッタ開閉制御装置は、スイッチギヤ本体と、前記スイッチギヤ本体に対して引出自在に設けられた引出型の遮断器と、スイッチギヤ本体内の断路部の前方を開閉するシャッタと、前記シャッタの開閉を行う開閉リンク機構とを備えたスイッチギヤに用いられ、前記シャッタの開閉動作を規制可能とする制御装置において、前記シャッタが前記断路部の前方を閉塞している状態において前記シャッタの開方向の動きを規制可能とする電気錠と、母線の充停電状態を判定する母線充停電判定回路と、前記スイッチギヤ本体の前記遮断器を収容する床下に配されたリミットスイッチと、前記母線充停電判定回路により母線の充電状態が判定され、且つ、前記リミットスイッチが閉成された場合に前記電気錠を施錠して前記シャッタの開方向への動きを規制し、少なくとも前記母線充停電判定回路により停電状態が判定された場合、又は、前記リミットスイッチが開成された場合に前記電気錠を開錠して前記シャッタの開方向への動きを許容することを特徴としている。
【０００９】
したがって、シャッタの開方向の動きを規制する電気錠は、母線充停電判定回路によって母線の充電状態が判定され、且つ、床に荷重がかかって床下のリミットスイッチが閉成された場合に施錠状態となるので、母線が充電している状態で、作業員がスイッチギヤ本体内に入れば、床下のリミットスイッチが閉成されるので、シャッタを故意に開けようとしても開けることができず、作業員が充電部に触れることがなくなる。
【００１０】
また、母線が停電状態にあるか、作業員がスイッチギヤ本体から外に出た場合、また、その両方の条件を満たした場合には、電気錠が開錠してシャッタの開方向への動きが許容されるので、母線停電中において母線側作業が可能になると共に、スイッチギヤ本体内に作業員がいない場合には、母線充電中においても遮断器の押込みが可能となる。
【００１１】
ここで、シャッタの開方向の動きを規制する電気錠は、開閉リンク機構の動きを規制する箇所に設けられるものであってよい。即ち、シャッタは、断路部の前方において上下方向に移動して、断路部の前面を閉塞または開放するものであるため、このようなシャッタの動きを形成するリンク機構のアーム部材の動きを電気錠により規制することでシャッタの開方向の動きを規制することが可能となる。
【００１２】
また、シャッタの開方向の動きを規制する電気錠は、シャッタの移動軌跡上に配されてシャッタの動きを直接規制するものであってもよい。例えば、断路部の前方位置から上方へシャッタを動かして断路部の前方を解放する構成であれば、シャッタの上部に電気錠を設けてシャッタが上方へ動かないようにしてもよい。
【００１３】
これに対して、床下に配されるリミットスイッチは、スイッチギヤ本体の遮断器を収容する床の中央部下に設けるようにするとよい。スイッチギヤ本体の遮断器を収容する床は、それほど広いものではないため、作業員が床の縁部に載った場合でも、リミットスイッチを床の中央部下に配置しておくことで、確実に作動させることが可能となる。
【００１４】
ここで、スイッチギヤ本体の遮断器を収容する床は、四隅がスプリングにより保持され、床上からの荷重に対してスプリングに抗して床が下方へ変位することでリミットスイッチを閉成させるようにするとよい。また、開閉リンク機構は、遮断器の側部に設けられた押上部材によって押し上げられるアーム部材を有し、このアーム部材の押し上げに追従して前記シャッタを押し上げて開位置へ移動させる構成を採用するとよい。
【発明の効果】
【００１５】
以上述べたように、本発明に係るスイッチギヤのシャッタ開閉制御装置によれば、母線充停電判定回路によって母線の充電状態が判定され、且つ、床に荷重がかかって床下のリミットスイッチが閉成された場合に電気錠が施錠状態となってシャッタの開方向の動きが規制されるので、母線が充電している状態で、作業員がスイッチギヤ本体内に入り、意図的にシャッタを動かそうとしても、シャッタを開方向へ動かすことができなくなり、作業員が充電部に触れて感電することがなくなる。
【００１６】
また、母線が停電状態にある場合には、電気錠が開錠状態となってシャッタの開方向への動きが可能となるので、母線停電中での母線側作業が可能となり、また、母線が充電状態であっても、スイッチギヤ本体内に作業員がいない場合には、電気錠が開錠状態となってシャッタの開方向への動きが可能となるので、従来どおりに、母線充電中での遮断器の押込みが可能となる。
【図面の簡単な説明】
【００１７】
【図１】図１は、本発明に係るシャッタ開閉制御装置が用いられるスイッチギヤの全体構成を示す図であり、（ａ）は遮断器が引き出された状態を、（ｂ）は遮断器が押込まれた状態を示す図である。
【図２】図２は、遮断器とこれが装着される断路部とを示す平面図である。
【図３】図３（ａ）は、スイッチギヤ本体のシャッタ及び開閉リンク機構を示す斜視図であり、図３（ｂ）は、遮断器の側部を示す斜視図である。
【図４】図４は、開閉リンク機構を示す図であり、（ａ）は電気錠によりロックされている状態を示す図であり、（ｂ）は電気錠が開錠されている状態を示す図である。
【図５】図５は、電気錠制御回路を示す回路図である。
【図６】図６は、本発明に係るシャッタ開閉制御装置が用いられるスイッチギヤの他の構成例を示す図であり、（ａ）はその全体構成を示す図、（ｂ）はシャッタ及び開閉リンク機構を示す斜視図である。
【発明を実施するための形態】
【００１８】
以下、本発明に係るスイッチギヤのシャッタ開閉制御装置の実施形態を添付図面を参照しながら説明する。
【００１９】
図１において、スイッチギヤ１は、筐体２内に、変電所から引き込まれた電力を供給する電力ケーブル５、断路部６、変圧器７、遮断器８、断路器９等が収容されたスイッチギヤ本体３と、スイッチギヤ本体３の下方に配されてスイッチギヤ本体３を支持するチャンネルベース４とを有して構成されている。
【００２０】
このスイッチギヤ本体３の筐体２は、内部が隔壁１０により、電力ケーブル５及び変圧器７を収容するケーブル室１１、遮断器８を収容する遮断器室１２、断路器９を収容する断路器室１３等に区画されており、遮断器８が挿脱される筐体部分には、扉１５が形成されている。
【００２１】
ケーブル室１１には、チャンネルベース４の下方から立ち上げられた電力ケーブル５が収容されていると共に変圧器７が収容されている。また、ケーブル室１１と遮断器室１２とを仕切る隔壁１０には、これに形成された開口を介して断路部６が設けられている。この断路部６は、前部が遮断器室１２に臨むように設けられ、また、後部がケーブル室１１に臨むように設けられている。この断路部６は、上部断路部６ａと下部断路部６ｂとから構成され、図２に示されているように、水平方向に（図１の紙面に対して直交する方向に）三相分配設されている。ケーブル室１１内に収容された電力ケーブル５の端部は、先端の被覆が剥がされることで出現した導体部１６が、接続導体１７を介して、下部断路部６ｂに接続されている。また上部断路部６ａは、母線１８を介して断路器室１３内の断路器９に接続されている。
【００２２】
遮断器室１２には遮断器８が収容されている。この遮断器８は略水平方向に突出した外部接触子２０を有しており、断路部６の前部にこの外部接触子２０が挿入されて断路部内部の固定接触子に接続されるようになっている。これにより、電力ケーブル５から流れる電流は、断路器９に流れる前に、遮断器８を介して流れる。
【００２３】
断路器室１３には断路器９が収容されている。この断路器９は、駆動機構により開閉可能に構成されており、母線２１を介して出力端子２２に接続されている。
【００２４】
したがって、スイッチギヤ本体３内には、電力ケーブル５から、下部断路部６ｂ、遮断器８、上部断路部６ａ、断路器９を介して出力端子２２につながる電路が形成されており、遮断器８によりこの電路に流れる負荷電流を遮断し、また、断路器９によって無負荷状態で電路を開閉できるようになっている。
【００２５】
また、遮断器室１２には、図３（ａ）にも示されるように、断路部６の前方を覆うようにシャッタ２３が配置されている。このシャッタ２３は、開閉リンク機構２４により昇降可能に設けられ、これにより、断路部６の前方を開放または閉塞するようにしている。
【００２６】
より具体的には、シャッタ２３は、三相分の上部断路部６ａと三相分の下部断路部６ｂの前面をそれぞれ覆うことができる程度の矩形板に形成され、上部断路部６ａと下部断路部６ｂの間隔に合わせた間隔で上下に並設され、後述する開閉リンク機構２４の昇降アーム２７に固定され、この昇降アーム２７を上下動させることで、上下動するようになっている。
【００２７】
開閉リンク機構２４は、シャッタ２３の左右両側であって遮断器室１２の左右両側にそれぞれ設けられているもので、図４にも示されるように、例えば、遮断器８の引出し及び押込みに伴って回動する回動アーム２５と、この回動アーム２５に所定の角度で固設された従動アーム２６と、この従動アーム２６の先端部に回動可能に取り付けられ、従動アーム２６により作用されて上下方向に移動する昇降アーム２７と、筐体２に上下に傾動可能に支持されて昇降アーム２７を支持する支持アーム２８とを有して構成されている。
【００２８】
回動アーム２５は、遮断器室１２の側壁に設けられた支持部材２９に回動支点を有し、後端部（ケーブル室側）が回動端となっており、この回動端の近傍に遮断器８の側面に取り付けられた後述するカムプレート３２が当接し、このカムプレート３２のカム面３４に沿って摺動するようになっている。
【００２９】
従動アーム２６は、前記回動アーム２５と回動支点を同じくし、回動アーム２５に対して所定の位相差をもって固定されており、回動アーム２５が回動すると、回動アーム２５との角度を一定に保ったまま回動するようになっており、後端側（ケーブル室側）へ延設され、その回動端に昇降アーム２７の下端が回動自在に枢着されている。
【００３０】
昇降アーム２７は、従動アーム２６の回動に伴って上下動するもので、上端部および中間部に前記シャッタ２３の側端が固定されている。
【００３１】
支持アーム２８は、隔壁１０の断路部６の近傍に上下方向に回動自在に支持されており、回動端を筒状に形成し、そこに昇降アーム２７を挿通させることで昇降アーム２７の上下動をガイドする機能を有している。
【００３２】
尚、従動アーム２６の回動端の下方には、筐体２に固定されたストッパ３０が設けられ、回動アーム２５にこれを押し上げる力がかからない限り、従動アーム２６は、昇降アーム２７やシャッタ２３の重量により回動端がストッパ３０に当接した場合となっている。前記シャッタ２３は、この従動アーム２６の回動端がストッパ３０に当接している状態で、断路部６の前方を閉塞するように昇降アーム２７に固定されている。
【００３３】
したがって、回動アーム２５を上に押し上げるように回動させると、これに伴って従動アーム２６が上方へ回動し、この従動アーム２６の回動端に取り付けられた昇降アーム２７が上方へ移動し、シャッタ２３が上方へ移動して断路部６の前方を開放させる。また、この状態から回動アーム２５にかかる上向きの回動力を解除すると、昇降アーム２７やシャッタ２３の重量により従動アーム２６が下方へ回動し、これに伴って回動アーム２５が下方へ回動し、従動アーム２６がストッパ３０に当接すると、その時点で下方への回動が停止され、断路部６の前方はシャッタ２３により閉塞される。
【００３４】
遮断器８の台車フレーム３１の両側面には、図３（ｂ）に示されるように、カムプレート３２が固定され、このカムプレート３２の上縁部に開閉リンク機構２４の回動アーム２５の回動端近傍に設けられたピン３３が当接可能となるカム面３４が形成されている。このカム面３４は、回動アーム２５の回動端が最も下に位置している状態でピン３３に当接またはピン３３から離れるように水平に形成された下部水平面３４ａと、この下部水平面３４ａから台車フレーム３１の後方に向かうにつれて徐々に上方へ傾斜する傾斜面３４ｂと、この傾斜面３４ｂに続いて台車フレーム３１の後方へ向かって水平に延びる上部水平面３４ｃとが形成されている。上部水平面３４ｃは、シャッタ２３を断路部６の前方から完全に上方へ移動させることができるように回動アーム２５を上方へ回動させる高さに設定されている。
【００３５】
したがって、遮断器８がスイッチギヤ本体３に押し込まれて台車フレーム３１のカムプレート３２が回動アーム２５のピン３３に差し掛かり、傾斜面３４ｂに至ると、徐々に回動アーム２５が上方へ回動してシャッタ２３が押し上げられ、ピン３３が上部水平面３４ｃに達すると、シャッタ２３が断路部６から完全に外れるように上方へ移動する（図４（ｂ）参照）。また、遮断器８をスイッチギヤ本体３から引き出して、回動アーム２５のピン３３が上部水平面３４ｃから傾斜面３４ｂに至ると、徐々に回動アーム２５が下方へ回動してシャッタ２３が下がり始め、下部水平面３４ａに達すると、シャッタ２３が断路部６の前方を完全に覆うように下方へ移動する（図４（ａ）参照）
【００３６】
このようなシャッタ２３の機構において、例えば、支持部材２９には、従動アーム２６の回動軌跡の脇となる位置に、通電によりロッド３５ａが突出する電気錠３５が設けられている。この電気錠３５は、従動アーム２６の回動端が最も下に位置した場合において、回動端近傍の上方にロッド３５ａを突出できるように設けられているもので、それ自体公知のものであり、施錠片としてのロッド３５ａ有する箱錠とロッド３５ａを駆動する図示しない駆動ユニットとを備えている。
【００３７】
また、遮断器室１２の床下には、その四隅に床３６を支持する支持スプリング３７が配設され（図３においては、その１つが示されている）、遮断器室内に作業員が入って床３６に荷重がかかると、支持スプリング３７に抗して床３６が下方へ変位するようになっている。そして、この床下には、床３６に荷重がかかって下方へ変位した場合に押圧されて閉成されるリミットスイッチ３８が設けられている。このリミットスイッチ３８は、床３６の略中央部位の下に配置されており、床３６の隅に荷重がかかった場合でも閉成されるようになっている。
【００３８】
さらに、スイッチギヤ本体３には、スイッチギヤ１の母線（１８又は２１）の充電の有無を確認する母線充停電判定回路５０が設けられている。この母線充停電判定回路５０は、図５に示されるように、例えば、母線１８の充電の有無を検出する計器用変成器３９とこの計器用変成器３９に接続されたリレー４０とにより構成されており、計器用変成器３９で母線１８の充電が確認されるとリレー４０を閉成し、停電が確認されるリレー４０を開成するようにしている。
【００３９】
この母線充停電確認回路のリレー４０と前記リミットスイッチ３８は、電気錠３５の施開錠を制御するコントローラ４１と共に電源系統に対して直列に接続され、リレー４０の開閉状態およびリミットスイッチ３８の開閉状態に応じて電気錠３５を操作する電気錠制御回路５１を構成している。即ち、計器用変成器３９により母線の充電が検知されてリレー４０が閉成し、且つ、遮断器室１２の床３６に荷重がかかってリミットスイッチ３８が閉成し、電源系統からコントローラ４１に電源が供給されると、コントローラ４１を介して電気錠３５に電源が供給され、施錠状態が形成される（電気錠３５の駆動ユニットによりロッド３５ａが突出する）。また、計器用変成器３９により母線の停電が検知されるか、遮断器室１２にかかっていた床３６の荷重が解除されてリレー４０とリミットスイッチ３８の少なくともいずれか一方が開成されると、電源系統からコントローラ４１への電源の供給が絶たれ、コントローラ４１を介して電気錠３５への電源供給が遮断され、開錠状態が形成される（電気錠３５の駆動ユニットによりロッド３５ａが退入する）。
【００４０】
したがって、母線１８が充電状態にあり、且つ、床３６に荷重がかかって（作業員が遮断器室１２内に入って）いる場合には、リレー４０とリミットスイッチ３８が閉成されるので、電気錠３５が施錠状態となり、開閉リンク機構２４の従動アーム２６の動きが電気錠３５により規制され、遮断器室１２内に入った作業員が意図的にシャッタ２３を上げようとしても、シャッタ２３の上方への移動が阻止されるので、断路部６の前方をシャッタ２３で閉塞した状態を維持することが可能となる。
【００４１】
これに対して、母線が充電状態にない場合には、リレー４０が開成され、また、作業員が外に出る等して床にかかっていた荷重が取り除かれると、リミットスイッチ３８が開成されるので、いずれの場合にも、電気錠３５は開錠状態となり、開閉リンク機構２４の従動アーム２６の動きは電気錠３５により規制されることがなくなる。このため、作業員がスイッチギヤ本体内に入っているが母線が充電状態にない場合には、シャッタ２３の押上げが可能となり、母線側の作業が可能となる。また、母線が充電状態であっても作業員がスイッチギヤ本体内に入っていない場合には、遮断器８の押込みが可能となり、母線充電中でも従来どおり遮断器８の外部接触子２０を断路部６の固定接触子へ挿着可能となる。
【００４２】
尚、上述の構成においては、電気錠３５を開閉リンク機構２４の動きを規制する位置に取り付けた場合を示したが、図６に示されるように、シャッタ２３の動きを直接規制する位置に電気錠３５を配置してもよい。具体的には、シャッタ２３の移動軌跡上にロッド３５ａが突出してシャッタ２３の動きを直接規制するよう、断路部６の上部に設けられた基台４２に電気錠３５を配設し、上述したごとく母線が充電状態にあり、且つ、床３６に荷重がかかってリミットスイッチ３８が閉成した場合に通電してロッド３５ａを突出させて施錠状態とし、シャッタ２３の上方への移動を規制するようにしてもよい。
他の構成は、前記構成と同様であるので、同一箇所に同一符号を付して説明を省略する。このような構成においても前記構成例と同様の作用効果を有する。
また、上述したリンク機構は、上述の構成に限定されるものではなく、遮断器８の引き出し押し入れに伴ってシャッタ２３の開閉を行う開閉リンク機構であれば、他の構成を採用してもよい。
【符号の説明】
【００４３】
１  スイッチギヤ
２  スイッチギヤ本体
８  遮断器
６  断路部
１８、２１  母線
２３  シャッタ
２４  開閉リンク機構
３５  電気錠
３６  床
３７  支持スプリング
３８  リミットスイッチ
５０  母線充停電判定回路
５１  電気錠制御回路  
【図１】
2011200076.tif 000003
【図２】
2011200076.tif 000004
【図３】
2011200076.tif 000005
【図４】
2011200076.tif 000006
【図５】
2011200076.tif 000007
【図６】
2011200076.tif 000008